(57)【要約】【課題】防水用の部品をプーリの外側に取付けなくとも、ベアリング側への水の侵入を阻止することのできる圧縮機の動力伝達装置を提供する。【解決手段】プーリ１１の内周面側に位置する防水カバー１４ｂによってベアリング３の軸方向一端面側をプーリ１１の軸方向一端側から覆うようにしたので、防水用の部品をプーリ１１の外側に取付けなくともベアリング３側への水の侵入を阻止することができ、ベアリング３の錆付きを効果的に防止することのできる。この場合、防水カバー１４ｂが板バネ１４に一体に設けられているので、部品点数を増加させることがない。【選択図】図１
2006177218.tif 000002
【特許請求の範囲】
【請求項１】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、
前記連結部品に、ベアリングの軸方向一端面側をプーリの軸方向一端側から覆う防水カバーをプーリの内周面側に位置するように一体に設けた
ことを特徴とする圧縮機の動力伝達装置。
【請求項２】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、
前記連結部品に、ベアリングの軸方向一端面側をプーリの軸方向一端側から覆う防水カバーをプーリの内周面側に位置するように取付けた
ことを特徴とする圧縮機の動力伝達装置。
【請求項３】
前記防水カバーを、連結部品側からプーリの内周面に沿って円筒状に延びるとともに、その先端側がプーリの内周面側からプーリの径方向内側に向かって屈曲するように形成した
ことを特徴とする請求項１または２記載の圧縮機の動力伝達装置。
【請求項４】
前記防水カバーの周方向所定箇所にプーリの軸方向に水を流通可能な排水用の開口部を設けた
ことを特徴とする請求項３記載の圧縮機の動力伝達装置。
【請求項５】
前記防水カバーの開口部をその少なくとも一部がプーリの内周面側に位置するように形成した
ことを特徴とする請求項４記載の圧縮機の動力伝達装置。
【請求項６】
前記防水カバーを連結部品としての電磁クラッチの板バネに一体に設けた
ことを特徴とする請求項１、２、３、４または５記載の圧縮機の動力伝達装置。
【請求項７】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、
前記プーリの内周面側に配置され、ベアリングの軸方向一端面側をプーリの軸方向一端側から覆う防水カバーを備え、
防水カバーをプーリの内周面に設けた溝に係合することによってプーリに取付けた
ことを特徴とする圧縮機の動力伝達装置。
【請求項８】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、
前記プーリの内周面側に配置され、ベアリングの軸方向一端面側をプーリの軸方向一端側から覆う防水カバーを備え、
防水カバーをプーリの内周面に設けた段差部とベアリングの軸方向一端面との間に挟持することによってプーリに取付けた
ことを特徴とする圧縮機の動力伝達装置。
【請求項９】
前記防水カバーを、プーリの軸方向一端側から圧縮機本体の支持部に装着されるベアリング固定用の固定リングの外径よりも大きい内径を有する形状から固定リングの外径よりも小さい内径を有する形状に変形可能に形成した
ことを特徴とする請求項８記載の圧縮機の動力伝達装置。
【請求項１０】
前記防水カバーを、プーリの軸方向一端側から圧縮機本体の支持部に装着されるベアリング固定用の固定リングの外径よりも大きい内径を有する形状に形成した
ことを特徴とする請求項８記載の圧縮機の動力伝達装置。
【請求項１１】
前記防水カバーの周方向所定箇所にプーリの軸方向に水を流通可能な排水用の開口部を設けた
ことを特徴とする請求項７、８、９または１０記載の圧縮機の動力伝達装置。
【請求項１２】
前記防水カバーの開口部をその少なくとも一部がプーリの内周面側に位置するように形成した
ことを特徴とする請求項１１記載の圧縮機の動力伝達装置。
【請求項１３】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備え、圧縮機本体の支持部の外周面にはベアリングを固定するための固定リングをプーリの軸方向一端側から装着するようにした圧縮機の動力伝達装置において、
前記プーリの内周面側に配置され、ベアリングの軸方向一端面側をプーリの軸方向一端側から覆う防水カバーを備え、
防水カバーを固定リングとベアリングの軸方向一端面との間に挟持することによって圧縮機本体の支持部に取付けた
ことを特徴とする圧縮機の動力伝達装置。
【請求項１４】
圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備え、圧縮機本体の支持部の外周面にはベアリングを固定するための固定リングをプーリの軸方向一端側から装着するようにした圧縮機の動力伝達装置において、
前記プーリの内周面側に配置され、ベアリングの軸方向一端面側をプーリの軸方向一端側から覆う防水カバーを備え、
防水カバーを固定リングと一体に形成した
ことを特徴とする圧縮機の動力伝達装置。
【請求項１５】
圧縮機の回転軸と同軸状に配置され、圧縮機本体から延びる円筒状の支持部の外周面にベアリングを介して回動自在に支持された環状のプーリと、プーリの軸方向一端面に対向するように配置され、プーリの軸方向一端面から動力が伝達される第１の連結部品と、圧縮機の回転軸に連結された第２の連結部品と、第１の連結部品と第２の連結部品とを連結する第３の連結部品とを備え、第１の連結部品に設けた開口部内に第２の連結部品を配置した圧縮機の動力伝達装置において、
前記第１の連結部品の開口部を第２の連結部品の外周との間にほぼ均一な隙間を有するように第２の連結部品の外周に沿って形成した
ことを特徴とする圧縮機の動力伝達装置。
【発明の詳細な説明】
【技術分野】
【０００１】
本発明は、例えば車両用空気調和装置に用いられる圧縮機の動力伝達装置に関するものである。
【背景技術】
【０００２】
一般に、この種の動力伝達装置としては、圧縮機の回転軸と同軸状に配置され、圧縮機本体から延びる円筒状の支持部の外周面にベアリングを介して回動自在に支持された環状のプーリと、プーリの軸方向一端面側から圧縮機の回転軸に回転力を伝達する電磁クラッチとを備え、プーリの軸方向一端面に対向して電磁クラッチのアーマチュアを配置するとともに、アーマチュアの開口部内には圧縮機の回転軸に連結されたハブを配置し、アーマチュアとハブとを板バネを介して連結したものが知られている（例えば、特許文献１参照。）。
【特許文献１】特開２００１−５６０３３号公報
【発明の開示】
【発明が解決しようとする課題】
【０００３】
ところで、前記動力伝達装置では、アーマチュアの開口部からプーリの内側に水が侵入し、ベアリングの錆付きを生じ易いという問題がある。このため、例えば蓋状に形成された防水カバーをプーリに取付け、防水カバーによってプーリの軸方向一端側を外側から覆う場合があるが、プーリの軸方向一端側は電磁クラッチが配置されていて構造が複雑であるため、防水カバーを確実に取付けることが困難であるという問題点があった。
【０００４】
本発明は前記問題点に鑑みてなされたものであり、その目的とするところは、防水用の部品をプーリの外側に取付けなくとも、ベアリング側への水の侵入を阻止することのできる圧縮機の動力伝達装置を提供することにある。
【課題を解決するための手段】
【０００５】
本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、前記連結部品に、ベアリングの軸方向一端面側をプーリの軸方向一端側から覆う防水カバーをプーリの内周面側に位置するように一体に設けている。
【０００６】
これにより、ベアリングの軸方向一端面側がプーリの内周面側に位置する防水カバーによって覆われることから、外部からプーリの内側に水が侵入した場合でも、防水カバーによってベアリング側への水の侵入が阻止される。また、防水カバーが連結部品と一体に設けられていることから、部品点数を増加させることがない。
【０００７】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、前記プーリの内周面側に配置され、ベアリングの軸方向一端面側をプーリの軸方向一端側から覆う防水カバーを備え、防水カバーをプーリの内周面に設けた溝に係合することによってプーリに取付けている。
【０００８】
これにより、ベアリングの軸方向一端面側がプーリの内周面側に位置する防水カバーによって覆われることから、外部からプーリの内側に水が侵入した場合でも、防水カバーによってベアリング側への水の侵入が阻止される。また、防水カバーがプーリの溝に係合することによって取付けられることから、防水カバーが容易に取付けられる。
【０００９】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備えた圧縮機の動力伝達装置において、前記プーリの内周面側に配置され、ベアリングの軸方向一端面側をプーリの軸方向一端側から覆う防水カバーを備え、防水カバーをプーリの内周面に設けた段差部とベアリングの軸方向一端面との間に挟持することによってプーリに取付けている。
【００１０】
これにより、ベアリングの軸方向一端面側がプーリの内周面側に位置する防水カバーによって覆われることから、外部からプーリの内側に水が侵入した場合でも、防水カバーによってベアリング側への水の侵入が阻止される。また、防水カバーがプーリの段差部とベアリングの軸方向一端面との間に挟持されることによって取付けられることから、防水カバーが容易に取付けられる。
【００１１】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備え、圧縮機本体の支持部の外周面にはベアリングを固定するための固定リングをプーリの軸方向一端側から装着するようにした圧縮機の動力伝達装置において、前記プーリの内周面側に配置され、ベアリングの軸方向一端面側をプーリの軸方向一端側から覆う防水カバーを備え、防水カバーを固定リングとベアリングの軸方向一端面との間に挟持することによって圧縮機本体の支持部に取付けている。
【００１２】
これにより、ベアリングの軸方向一端面側がプーリの内周面側に位置する防水カバーによって覆われることから、外部からプーリの内側に水が侵入した場合でも、防水カバーによってベアリング側への水の侵入が阻止される。また、防水カバーが固定リングとベアリングの軸方向一端面との間に挟持されることによって取付けられることから、防水カバーが容易に取付けられる。
【００１３】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面側と圧縮機の回転軸とを連結する連結部品とを備え、圧縮機本体の支持部の外周面にはベアリングを固定するための固定リングをプーリの軸方向一端側から装着するようにした圧縮機の動力伝達装置において、前記プーリの内周面側に配置され、ベアリングの軸方向一端面側をプーリの軸方向一端側から覆う防水カバーを備え、防水カバーを固定リングと一体に形成している。
【００１４】
これにより、ベアリングの軸方向一端面側がプーリの内周面側に位置する防水カバーによって覆われることから、外部からプーリの内側に水が侵入した場合でも、防水カバーによってベアリング側への水の侵入が阻止される。また、防水カバーがベアリング用の固定リングと一体に形成されることから、部品点数を増加させることがない。
【００１５】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面に対向するように配置され、プーリの軸方向一端面から動力が伝達される第１の連結部品と、圧縮機の回転軸に連結された第２の連結部品と、第１の連結部品と第２の連結部品とを連結する第３の連結部品とを備え、第１の連結部品に設けた開口部内に第２の連結部品を配置した圧縮機の動力伝達装置において、前記プーリの軸方向一端面と第１の連結部品との間に配置され、第２の連結部品の外周との間にほぼ均一な隙間を有するように第２の連結部品の外周に沿って形成された開口部を有する防水カバーを備えている。
【００１６】
これにより、ベアリングの軸方向一端面側がプーリの軸方向一端面と第１の連結部品との間に位置する防水カバーによって覆われることから、防水カバーによってプーリの内側への水の侵入が阻止される。
【００１７】
また、本発明は前記目的を達成するために、圧縮機の回転軸と同軸状に配置され、圧縮機本体から延びる円筒状の支持部の外周面にベアリングを介して回動自在に支持された環状のプーリと、プーリの軸方向一端面に対向するように配置され、プーリの軸方向一端面から動力が伝達される第１の連結部品と、圧縮機の回転軸に連結された第２の連結部品と、第１の連結部品と第２の連結部品とを連結する第３の連結部品とを備え、第１の連結部品に設けた開口部内に第２の連結部品を配置した圧縮機の動力伝達装置において、前記第１の連結部品の開口部を第２の連結部品の外周との間にほぼ均一な隙間を有するように第２の連結部品の外周に沿って形成している。
【００１８】
これにより、ベアリングの軸方向一端面側が第１の連結部品によって覆われることから、第１の連結部品によってプーリの内側への水の侵入が阻止される。また、第１の連結部品によって水の侵入が阻止されることから、防水カバーを別途必要としない。
【発明の効果】
【００１９】
本発明によれば、防水用の部品をプーリの外側に取付けなくとも、ベアリング側への水の侵入を阻止することができるので、ベアリングの錆付きを効果的に防止することができる。
【発明を実施するための最良の形態】
【００２０】
図１乃至図４は本発明の第１の実施形態を示すもので、図１は動力伝達装置の側面断面図、図２はその正面図、図３はその要部側面断面図、図４は板バネの正面図である。
【００２１】
本実施形態の動力伝達装置は、車両用空気調和装置の圧縮機に用いられる電磁クラッチからなり、圧縮機本体１の一端側に設けられている。
【００２２】
同図に示す動力伝達装置１０は、圧縮機の回転軸２と同軸状に配置されたプーリ１１と、プーリ１と同軸状に配置されたアーマチュア１２と、アーマチュア１２と一体に回転するハブ１３と、アーマチュア１２とハブ１３とを連結する連結部品としての板バネ１４と、プーリ１１及びアーマチュア１２の軸方向の対向面を磁力によって互いに吸着可能な電磁コイル１５とを備えている。
【００２３】
プーリ１１は環状に形成された鉄等の金属製磁性体からなり、その外周面に巻き掛けられる図示しない多段式のベルトによって回転するようになっている。プーリ１１は圧縮機本体１から延びる円筒状の支持部１ａにベアリング３を介して回動自在に支持され、その内周面をベアリング３の外輪側に固定されている。ベアリング３の内輪側は支持部１ａの外周面上に配置され、固定リングとしてのスナップリング１６によって固定されている。プーリ１１の一端面はアーマチュア１２に対向しており、その他端面側には電磁コイル１５を収容する環状の凹部１１ａが設けられている。また、プーリ１１の一端面には周方向に延びる長孔１１ｂがプーリ１１の径方向に間隔をおいて設けられ、各長孔１１ｂはそれぞれ凹部１１ａに連通している。
【００２４】
アーマチュア１２は円板状に形成された鉄等の金属製磁性体からなり、その一端面はプーリ１１の一端面に僅かな間隙を介して対向している。アーマチュア１２の中央にはハブ１３を挿通する円形の開口部１２ａが設けられ、開口部１２ａの内径はプーリ１１の内径よりも大きく形成されている。また、アーマチュア１２には周方向に延びる長孔１２ｂが設けられ、長孔１２ｂはプーリ１１の各長孔１１ｂ間に位置するようになっている。
【００２５】
ハブ１３は軸方向一端側を圧縮機の回転軸２に連結され、その他端側はアーマチュア１２の開口部１２ａを介してアーマチュア１２の他端面側に配置されている。また、ハブ１３の他端側には板バネ４に連結される略三角形状のフランジ１３ａが設けられている。
【００２６】
板バネ１４は、アーマチュア１２とハブ１３とを連結する複数の連結部１４と、ベアリング３の軸方向一端面側をプーリ１１の軸方向一端側から覆う防水カバー１４ｂとを一体に有し、その中央にはハブ１３を挿通する円形の開口部１４ｃが設けられている。各連結部１４はそれぞれアーマチュア１２の周方向に延びるように形成され、その先端側はリベット１７によってアーマチュア１２に連結されている。また、各連結部１４の基端側はリベット１８によってハブ１３のフランジ１３ａに連結されている。防水カバー１４ｂは開口部１４ｃの周縁からプーリ１１の内周面に沿って軸方向に延びる円筒状に形成され、ベアリング３の軸方向一端側まで挿入されている。防水カバー１４ｂの先端側はプーリ１１の内周面側から径方向内側に向かって屈曲しており、この屈曲部分によってプーリ１１の内周面と支持部１ａの外周面との間をプーリ１１の軸方向一端側から覆うようになっている。また、防水カバー１４ｂの周方向複数箇所にはプーリ１１の軸方向に水を流通可能な排水用開口部としての切り欠き１４ｄが設けられている。各切り欠き１４ｄは、それぞれ板バネ１４の開口部１４ｃの縁部から防水カバー１４ｂの先端側まで延びるように形成され、その一端側（開口部１４ｃ側）はプーリ１１の内周面よりも径方向外側に位置するように形成されている。
【００２７】
電磁コイル１５は絶縁皮膜を施した導線の巻線からなり、ステータ１５ａの内部に固定されている。ステータ１５ａは環状に形成された断面略コ字状の金属製磁性体からなり、プーリ１１の凹部１１ａ内に配置されている。また、ステータ１５ａは圧縮機本体１に固定された環状の支持板１５ｂによって支持され、支持板１５ｂは溶接等によってステータ１５ａに接合されている。
【００２８】
以上のように構成された動力伝達装置１０においては、図示しないエンジンの動力がプーリ１１に入力されると、プーリ１１が圧縮機の回転軸２と同軸状に回転する。その際、電磁コイル１５の通電停止時は、プーリ１１とアーマチュア１２が板バネ１４によって互いに間隔をおいて保持されているため、プーリ１１がアーマチュア１２に対して空転し、プーリ１１の回転力はアーマチュア１２には伝達されない。ここで、電磁コイル１５に通電されると、電磁コイル１５が磁力を発生し、電磁コイル１５の磁力によってアーマチュア１２がプーリ１１側に吸引される。これにより、プーリ１１とアーマチュア１２との対向面が互いに圧着して摩擦係合し、プーリ１１の回転力がアーマチュア１２に伝達される。
【００２９】
前記動力伝達装置１０では、ベアリング３の軸方向一端面側が板バネ１４に設けた防水カバー１４ｂによって覆われることから、アーマチュア１２の開口部１２ａからプーリ１１の内側に水が侵入した場合でも、防水カバー１４ｂによってベアリング３側への水の侵入が阻止される。また、防水カバー１４ｂの周囲の隙間からベアリング３側に水が侵入した場合には、ベアリング３側の水が防水カバー１４ｂの切り欠き１４ｄを介して外部に排出されることから、ベアリング３側に水が滞留することはない。
【００３０】
このように、本実施形態によれば、プーリ１１の内周面側に位置する防水カバー１４ｂによってベアリング３の軸方向一端面側をプーリ１１の軸方向一端側から覆うようにしたので、防水用の部品をプーリ１１の外側に取付けなくともベアリング３側への水の侵入を阻止することができ、ベアリング３の錆付きを効果的に防止することのできる。この場合、防水カバー１４ｂが板バネ１４に一体に設けられているので、部品点数を増加させることがないという利点がある。
【００３１】
また、防水カバー１４ｂを、板バネ１４の開口部１４ｃ側からプーリ１１の内周面に沿って円筒状に延びるとともに、その先端側がプーリ１１の内周面側からプーリ１１の径方向内側に向かって屈曲するように形成したので、ベアリング３の軸方向一端面側をプーリ１１の内周面側から確実に覆うことができ、防水カバー１４ｂの周囲の隙間を小さくすることができる。
【００３２】
尚、防水カバー１４ｂによってベアリング３側に水が侵入しにくくなる分、例えば車両に搭載された状態で直接被水した場合など、一旦水が侵入するとベアリング３側に水や塩水が滞留し易くなるが、本実施形態では防水カバー１４ｂの周方向複数箇所にプーリ１１の軸方向に水を流通可能な排水用の切り欠き１４ｄを設けているので、防水カバー１４ｂの周囲の隙間からベアリング３側に水が侵入した場合でもベアリング３側に水が滞留することがなく、ベアリング３の錆付き防止に極めて有利である。
【００３３】
この場合、防水カバー１４ｂの各切り欠き１４ｄをその一端側がプーリ１１の内周面側に位置するように形成したので、ベアリング３側に侵入した水がプーリ１１の内周面の下側に溜まることがなく、切り欠き１４ｄから確実に排水することができる。
【００３４】
また、防水カバー１４ｂを連結部品としての電磁クラッチの板バネ１４に一体に設けたので、それぞれ板状の部材からなる板バネ１４及び防水カバー１４ｂを一体に形成する場合に極めて有利である。
【００３５】
尚、前記実施形態では、防水カバー１４ｂを電磁クラッチの板バネ１４に設けたものを示したが、アーマチュア１２やハブ１３等、他の連結部品に一体に設けるようにしてもよい。
【００３６】
また、前記実施形態では、電磁クラッチからなる動力伝達装置１０を示したが、電磁クラッチに代えてトルクリミッタを有する動力伝達装置にも本発明を適用することができる。この場合、トルクリミッタを構成する連結部品に防水カバーを一体に設けるようにすればよい。
【００３７】
図５及び図６は本発明の第２の実施形態を示すもので、図５は動力伝達装置の要部側面断面図、図６は板バネの正面図である。尚、前記実施形態と同等の構成部分には同一の符号を付して示す。
【００３８】
本実施形態の動力伝達装置１０は、防水カバー１４ｂに、第１の実施形態の各切り欠き１４ｄに代わる排水用開口部として複数の孔１４ｅを設けたものである。これにより、第１の実施形態と同様、防水カバー１４ｂの周囲の隙間からベアリング３側に侵入した水を孔１４ｅから排出することができる。この場合、各孔１４ｅをプーリ１１の内周面側に位置するように設けたので、第１の実施形態と同様、ベアリング３側に侵入した水がプーリ１１の内周面の下側に溜まることがない。
【００３９】
図７乃至図１１は本発明の第３の実施形態を示すもので、図７は動力伝達装置の側面断面図、図８はその正面図、図９はその要部側面断面図、図１０はその要部分解側面断面図、図１１は防水カバーの正面図である。尚、前記実施形態と同等の構成部分には同一の符号を付して示す。
【００４０】
本実施形態の動力伝達装置１０は、第１の実施形態のハブ１３及び板バネ１４に代えて、圧縮機の回転軸２に連結されたハブ１９と、ハブ１９に取付けられた略三角形状のプレート２０と、ハブ１９とアーマチュア１２とを連結する複数の板バネ２１と、プーリ１１の内周面に取付けられた防水カバー２２とを備えている。
【００４１】
ハブ１９は軸方向一端側を圧縮機の回転軸２に連結され、その他端側にはアーマチュア１２の開口部１２ａ内に位置するフランジ１９ａが設けられている。
【００４２】
プレート２０はアーマチュア１２の他端面側に配置され、その周方向複数箇所をリベット２３によってハブ１９のフランジ１９ａに連結されている。
【００４３】
各板バネ２１はそれぞれ直線状に形成され、その一端側をリベット２３によってプレート２０と共にハブ１９のフランジ１９ａに連結されている。また、各板バネ２１の他端側はリベット２４によってアーマチュア１２に連結されている。
【００４４】
防水カバー２２は円板状に形成され、その中央にはハブ１９の軸方向一端側を挿通する開口部２２ａが設けられている。防水カバー２２の外周縁にはプーリ１１の内周面に係合する係合部２２ｂが設けられ、係合部２２ｂは防水カバー２２の径方向に弾性変形可能な断面略Ｌ字状に形成されている。即ち、プーリ１１の内周面には周方向に延びる溝１１ｃが設けられ、図１０に示すように防水カバー２２の係合部２２ｂをプーリ１１の溝１１ｃに係合することにより、防水カバー２２がプーリ１１に取付けられるようになっている。その際、防水カバー２２は、係合部２２ｂを防水カバー２２の径方向内側に弾性変形させながらプーリ１１の内周面側に圧入することができる。また、防水カバー２２の周方向複数箇所にはプーリ１１の排水用開口部としての切り欠き２２ｃが設けられ、各切り欠き２２ｃはその一端側がプーリ１１の内周面側に位置するように形成されている。尚、排水用開口部は第２の実施形態と同様の孔であってもよい。
【００４５】
本実施形態によれば、プーリ１１の内周面側に位置する防水カバー２２によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。この場合、防水カバー２２の係合部２２ｂをプーリ１１の溝１１ｃに係合することにより、防水カバー２２をプーリ１１に取付けるようにしたので、防水カバー２２を容易に取付けることができ、組立時の作業性を向上することができる。
【００４６】
図１２乃至図１４は本発明の第４の実施形態を示すもので、図１２は動力伝達装置の側面断面図、図１３はその要部分解側面断面図、図１４は防水カバーの正面図である。尚、前記実施形態と同等の構成部分には同一の符号を付して示す。
【００４７】
本実施形態の動力伝達装置１０は、第３の実施形態の防水カバー２２に代わる他の構成の防水カバー２５を備えている。
【００４８】
本実施形態の防水カバー２５は円板状に形成され、その中央にはハブ１９の軸方向一端側を挿通する開口部２５ａが設けられている。防水カバー２５の外周縁側は断面略Ｌ字状に屈曲しており、その先端側はプーリ１１の内周面に設けられた段差部１１ｄとベアリング３の軸方向一端面との間に挟持される取付部２５ｂをなす。防水カバー２５は、図１３(a) に示すように取付部２５ｂを除く部分の内径がスナップリング１６の外径よりも大きい略円筒状に形成されており、スナップリング１６を防水カバー２５内に通し、圧縮機本体１の支持部１ａに設けられた溝１ｂにスナップリング１６を装着した後、図１３(b) に示すように径方向内側に折り曲げることにより、ベアリング３の軸方向一端面側を覆うようになっている。また、防水カバー２５の周方向複数箇所にはプーリ１１の排水用開口部としての切り欠き２５ｃが設けられ、各切り欠き２５ｃはその一端側がプーリ１１の内周面側に位置するように形成されている。尚、排水用開口部は第２の実施形態と同様の孔であってもよい。
【００４９】
本実施形態によれば、プーリ１１の内周面側に位置する防水カバー２５によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。この場合、防水カバー２５の取付部２５ｂをプーリ１１の段差部１１ｄとベアリング３の軸方向一端面との間に挟持することにより、防水カバー２５をプーリ１１に取付けるようにしたので、防水カバー２５を容易に取付けることができ、組立時の作業性を向上することができる。また、防水カバー２５をプーリ１１の内周面に沿って延びる円筒状に形成しておき、圧縮機本体１の支持部１ａにスナップリング１６を装着した後、径方向内側に折り曲げるようにしたので、防水カバー２５の開口部２５ａの内径をスナップリング１６の外径よりも小さくすることができ、ベアリング３の軸方向一端面側を確実に覆うことができる。
【００５０】
図１５及び図１６は本発明の第５の実施形態を示すもので、図１５は動力伝達装置の要部分解側面断面図、図１６は防水カバーの正面図である。尚、前記実施形態と同等の構成部分には同一の符号を付して示す。
【００５１】
本実施形態では、第４の実施形態の防水カバー２５に代わる他の構成の防水カバー２６を備えている。
【００５２】
本実施形態の防水カバー２６は円板状に形成され、その中央にはハブ１９の軸方向一端側を挿通する開口部２６ａが設けられている。防水カバー２６の外周縁側は断面略Ｌ字状に屈曲しており、その先端側はプーリ１１の段差部１１ｄとベアリング３の軸方向一端面との間に挟持される取付部２６ｂをなす。また、開口部２６ａの内径はスナップリング１６の外径よりも大きく形成されており、図１５(a) に示すように防水カバー２６をプーリ１１に取付けた後、スナップリング１６を開口部２６ａ内に通し、図１５(b) に示すように圧縮機本体１の支持部１ａにスナップリング１６が装着されるようになっている。また、防水カバー２５の周方向複数箇所にはプーリ１１の排水用開口部としての切り欠き２６ｃが設けられ、各切り欠き２６ｃはその一端側がプーリ１１の内周面側に位置するように形成されている。尚、排水用開口部は第２の実施形態と同様の孔であってもよい。
【００５３】
本実施形態によれば、プーリ１１の内周面側に位置する防水カバー２６によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。この場合、防水カバー２６の取付部２６ｂをプーリ１１の段差部１１ｄとベアリング３の軸方向一端面との間に挟持することにより、防水カバー２６をプーリ１１に取付けるようにしたので、防水カバー２６を容易に取付けることができ、組立時の作業性を向上することができる。また、防水カバー２６の開口部２６ａの内径をスナップリング１６の外径よりも大きく形成したので、防水カバー２６をプーリ１１に取付けた後、スナップリング１６を開口部２６ａ内に挿入して圧縮機本体１の支持部１ａに装着することができる。この場合、第４の実施形態に比べて防水カバー２６により覆われる部分は小さくなるが、防水カバー２６を折り曲げる作業を必要としないので、その分だけ組立時の作業性を向上させることができる。
【００５４】
図１７及び図１８は本発明の第６の実施形態を示すもので、図１７は動力伝達装置の要部分解側面断面図、図１８は防水カバーの正面図である。尚、前記実施形態と同等の構成部分には同一の符号を付して示す。
【００５５】
本実施形態では、第４の実施形態の防水カバー２５に代わる他の構成の防水カバー２７を備えている。
【００５６】
本実施形態の防水カバー２７は略円板状に形成され、その中央には圧縮機本体１の支持部１ａを挿通する開口部２７ａが設けられている。即ち、防水カバー２７はベアリング３の軸方向一端側に配置された後、支持部１ａに装着されるスナップリング１６とベアリング３の軸方向一端面との間に挟持されることにより、支持部１ａに取付けられるようになっている。尚、本実施形態の防水カバー２７は支持部１ａ側に取付けられるため、防水カバー２７とプーリ１１の内周面との隙間から排水が可能であり、第４の実施形態のような排水用開口部を設ける必要はない。
【００５７】
本実施形態によれば、プーリ１１の内周面側に位置する防水カバー２７によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。この場合、防水カバー２７をスナップリング１６とベアリング３の軸方向一端面との間に挟持することにより、防水カバー２７を支持部１ａに取付けるようにしたので、防水カバー２７を容易に取付けることができ、組立時の作業性を向上することができる。
【００５８】
図１９及び図２０は本発明の第７の実施形態を示すもので、図１９は動力伝達装置の要部分解側面断面図、図２０は防水カバーの正面図である。尚、前記実施形態と同等の構成部分には同一の符号を付して示す。
【００５９】
本実施形態では、第６の実施形態のスナップリング１６及び防水カバー２７に代えて、他の構成の防水カバー２８を備えている。
【００６０】
本実施形態の防水カバー２８は略円板状に形成され、その中央には圧縮機本体１の支持部１ａを挿通する開口部２８ａが設けられている。開口部２８ａ内には支持部１ａに装着されるスナップリング２８ａが一体に設けられ、スナップリング２８ａによってベアリング３を固定するようになっている。スナップリング２８ａは周方向一箇所で同方向に切り離されており、径方向に弾性変形可能に形成されている。即ち、防水カバー２８はスナップリング２８ａを支持部１ａの溝１ｂに装着することにより、スナップリング２８ａと共に支持部１ａに取付けられ、ベアリング３の軸方向一端面側を覆うようになっている。尚、本実施形態の防水カバー２８は支持部１ａ側に取付けられるため、第６の実施形態と同様、排水用開口部を設ける必要はない。
【００６１】
本実施形態によれば、プーリ１１の内周面側に位置する防水カバー２８によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。この場合、防水カバー２８と一体に設けたスナップリング２８ａを支持部１ａに装着することにより、防水カバー２８をスナップリング２８ａと共に支持部１ａに取付けるようにしたので、防水カバー２８を容易に取付けることができ、組立時の作業性を向上することができる。
【００６２】
図２１乃至図２３は本発明の第８の実施形態を示すもので、図２１は動力伝達装置の側面断面図、図２２はその要部側面断面図、図２３は防水カバーの正面図である。尚、前記実施形態と同等の構成部分には同一の符号を付して示す。
【００６３】
本実施形態では、第３の実施形態の防水カバー２２に代わる他の構成の防水カバー２９を備えている。
【００６４】
防水カバー２９はアーマチュア１２の開口部１２ａの内側からプーリ１１の内周面に沿って軸方向に延びる円筒状に形成され、その中央にはハブ１９の軸方向一端側を挿通する開口部２９ａが設けられている。防水カバー２９の軸方向一端側はプーリ１１の内周面側から径方向内側に向かって屈曲しており、この屈曲部分によってプーリ１１の内周面と支持部１ａの外周面との間をプーリ１１の軸方向一端側から覆うようになっている。防水カバー２９の軸方向他端側には径方向にフランジ状に延びる取付部２９ｂが設けられ、取付部２９ｂはアーマチュア１２の軸方向他端面側に配置されている。取付部２９ｂの周方向複数箇所には各リベット２４を挿通する複数の孔２９ｃが設けられ、防水カバー２９は各リベット２４によってアーマチュア１２に取付けられている。また、防水カバー２９の周方向複数箇所にはプーリ１１の排水用開口部としての切り欠き２９ｄが設けられ、その一端側（開口部１２ａ側）はプーリ１１の内周面よりも径方向外側に位置するように形成されている。尚、排水用開口部は第２の実施形態と同様の孔であってもよい。
【００６５】
本実施形態によれば、プーリ１１の内周面側に位置する防水カバー２９を連結部品としてのアーマチュア１２に取付け、防水カバー２９によってベアリング３の軸方向一端面側をプーリ１１の軸方向一端側から覆うようにしたので、第１の実施形態と同様、防水用の部品をプーリ１１の外側に取付けなくともベアリング３側への水の侵入を阻止することができ、ベアリング３の錆付きを効果的に防止することのできる。
【００６６】
図２４は本発明の第９の実施形態を示すもので、アーマチュアの正面図である。尚、前記実施形態と同等の構成部分には同一の符号を付して示す。
【００６７】
本実施形態では、第３の実施形態のアーマチュア１２及び防水カバー２２に代えて、他の構成からなるアーマチュア３０を備えている。
【００６８】
本実施形態のアーマチュア３０は、その中央にハブ１９を挿通する開口部３０ａを有し、開口部３０ａはハブ１９の外周面との間にほぼ均一な隙間を有するようにハブ１９の外周に沿って形成されている。即ち、アーマチュア３０によってハブ１９の周囲の隙間が覆われるようになっている。
【００６９】
本実施形態によれば、アーマチュア３０の開口部３０ａをハブ１９の外周面との間にほぼ均一な隙間を有するようにハブ１９の外周に沿って形成したので、第１の実施形態と同様、防水用の部品をプーリ１１の外側に取付けなくともベアリング３側への水の侵入を阻止することができ、ベアリング３の錆付きを効果的に防止することのできる。また、アーマチュア３０によってプーリ１１の内側への水の侵入を阻止することができるので、防止カバーを別途設ける必要がなく、部品点数を増加させることがないという利点がある。
【図面の簡単な説明】
【００７０】
【図１】本発明の第１の実施形態を示す動力伝達装置の側面断面図
【図２】動力伝達装置の正面図
【図３】動力伝達装置の要部側面断面図
【図４】板バネの正面図
【図５】本発明の第２の実施形態を示す動力伝達装置の要部側面断面図
【図６】板バネの正面図
【図７】本発明の第３の実施形態を示す動力伝達装置の側面断面図
【図８】動力伝達装置の正面図
【図９】動力伝達装置の要部側面断面図
【図１０】動力伝達装置の要部分解側面断面図
【図１１】防水カバーの正面図
【図１２】本発明の第４の実施形態を示す動力伝達装置の側面断面図
【図１３】動力伝達装置の要部分解側面断面図
【図１４】防水カバーの正面図
【図１５】本発明の第５の実施形態を示す動力伝達装置の要部分解側面断面図
【図１６】防水カバーの正面図
【図１７】本発明の第６の実施形態を示す動力伝達装置の要部分解側面断面図
【図１８】防水カバーの正面図
【図１９】本発明の第７の実施形態を示す動力伝達装置の要部分解側面断面図
【図２０】防水カバーの正面図
【図２１】本発明の第８の実施形態を示す動力伝達装置の側面断面図
【図２２】動力伝達装置の要部側面断面図
【図２３】防水カバーの正面図
【図２４】本発明の第９の実施形態を示すアーマチュアの正面図
【符号の説明】
【００７１】
１…圧縮機本体、１ａ…支持部、２…回転軸、３…ベアリング、１０…動力伝達装置、１１…プーリ、１１ｃ…溝、１１ｄ…段差部、１２…アーマチュア、１３…ハブ、１４…板バネ、１４ｂ…防水カバー、１４ｄ…切り欠き、１４ｅ…孔、１６…スナップリング、１９…ハブ、２２…防水カバー、２２ｂ…係合部、２２ｃ…切り欠き、２５…防水カバー、２６…防水カバー、２７…防水カバー、２８…防水カバー、２８ａ…スナップリング、２９…防水カバー、２９ｄ…切り欠き、３０…アーマチュア、３０ａ…開口部。
【図１】
2006177218.tif 000003
【図２】
2006177218.tif 000004
【図３】
2006177218.tif 000005
【図４】
2006177218.tif 000006
【図５】
2006177218.tif 000007
【図６】
2006177218.tif 000008
【図７】
2006177218.tif 000009
【図８】
2006177218.tif 000010
【図９】
2006177218.tif 000011
【図１０】
2006177218.tif 000012
【図１１】
2006177218.tif 000013
【図１２】
2006177218.tif 000014
【図１３】
2006177218.tif 000015
【図１４】
2006177218.tif 000016
【図１５】
2006177218.tif 000017
【図１６】
2006177218.tif 000018
【図１７】
2006177218.tif 000019
【図１８】
2006177218.tif 000020
【図１９】
2006177218.tif 000021
【図２０】
2006177218.tif 000022
【図２１】
2006177218.tif 000023
【図２２】
2006177218.tif 000024
【図２３】
2006177218.tif 000025
【図２４】
2006177218.tif 000026